(57)【要約】      （修正有）【課題】未使用のジャック内への塵、埃等又は湿気の侵入、蓄積を確実に防止できる未使用ジャック用防塵ダミープラグを提供する。【解決手段】電気機器のジャック内に装着され、ジャックの複数の電極端子で圧接保持されるプラグ軸体１と、プラグ軸体１の軸端側に連結される把持体２を備え、把持体２は、プラグ軸体１の未使用ジャック内への装着によって、ジャック周りの電気機器に当接されてジャックの開口端を閉塞する。【選択図】図１
0003170097.tif 000002
【実用新案登録請求の範囲】
【請求項１】
電気機器の開口から前記電気機器内に設置されたジャックに装着され、前記ジャックの開口端を閉塞する未使用ジャック用防塵ダミープラグであって、
前記ジャック内に装着され、該ジャックの複数の電極端子で圧接保持されるプラグ軸体と、
前記電気機器の開口外側に配置され、前記プラグ軸体の軸端側に連結される把持体を備え、
前記把持体は、
前記プラグ軸体の前記ジャック内への装着によって、該ジャック周りの前記電気機器に当接されて、前記ジャックの開口端を閉塞する、
ことを特徴とする未使用ジャック用防塵ダミープラグ。
【請求項２】
前記把持体に配置され、電気入力で発光する発光素子を備え、
前記プラグ軸体は、前記ジャック内への装着によって、前記各電極端子の夫々に電気接続される複数の電極を有し、
前記発光素子は、
前記ジャック軸体内を通して、前記複数の電極のうち２つの電極に電気接続される、
ことを特徴とする請求項１に記載の未使用ジャック用防塵ダミープラグ。
【請求項３】
前記把持体は、透光性材料で形成され、
前記発光素子は、前記把持体内に配置される、
ことを特徴とする請求項２記載の不使用ジャック用防塵ダミープラグ。
【請求項４】
前記電気機器の前記ジャックは、音声出力器に接続され、
前記音声出力器は、スピーカ体と、前記ジャック内に装着され、該ジャックの各電極ジャック端子に電気接続されるフォンプラグと、前記スピーカ体及び前記フォンプラグを電気接続する配線コードを備えてなり、
前記把持体は、取付部を備え、
前記取付部は、前記把持体を前記音声出力器の前記配線コードに取付自在とする、
ことを特徴とする請求項１乃至３の何れかに記載の不使用ジャック用防塵ダミープラグ。
【考案の詳細な説明】
【技術分野】
【０００１】
本考案は、携帯電話端末、携帯情報端末等の電気機器において、電気機器の未使用ジャックを閉塞して、未使用ジャック内への塵、埃又は湿気の侵入及び蓄積を防止する未使用ジャック用防塵ダミープラグに関する。
【背景技術】
【０００２】
一般に、携帯電話端末、携帯情報端末等の電気機器においては、音声情報を入出力するフォンジャックを備えている。フォンジャックには、イヤフォン又はヘッドフォンのフォンプラグが装着され、イヤフォン又はヘッドフォンを電気機器に電気接続する。電気機器のフォンジャックは、未使用時、塵、埃及び湿気の侵入、蓄積による電極端子の腐蝕、接触不良を防止する必要ある。
【０００３】
塵、埃及び湿気の侵入、蓄積を防止する技術として、特許文献１は、ジャック用ダミープラグを開示する。特許文献１のジャック用ダミープラグは、勘合部、ツバ部及びツマミ部で構成され、勘合部を未使用のジャック内に装着することで、ツバ部でジャックの開口端を閉塞する。
【０００４】
しかしながら、特許文献１のジャック用ダミープラグは、ツバ部をジャックに当接させて、ジャックの開口端を閉塞するものの、ツバ部及びツマミ部間に段差を有しているため、ジャックの開口端近傍に塵、埃等が蓄積する。そして、蓄積した塵、埃等は、ダミープラグをジャック内から取外す際に、勘合部に付着し、更にダミープラグを取外した後、未使用のジャック内に侵入する虞がある。
【先行技術文献】
【特許文献】
【０００５】
【特許文献１】実開昭６１−７９４７１号公報
【考案の概要】
【考案が解決しようとする課題】
【０００６】
本考案は、電気機器の未使用ジャック内への塵、埃又は湿気の侵入、蓄積を確実に防止できる未使用ジャック用防塵ダミープラグを提供することにある。
【課題を解決するための手段】
【０００７】
請求項１に係る考案は、電気機器の開口から前記電気機器内に設置されたジャックに装着され、前記ジャックの開口端を閉塞する未使用ジャック用防塵ダミープラグであって、ジャック内に装着され、該ジャックの複数の電極端子で圧接保持されるプラグ軸体と、前記電気機器の開口外側に配置され、前記プラグ軸体の軸端側に連結される把持体を備え、前記把持体は、前記プラグ軸体の前記ジャック内への装着によって、該ジャック周りの前記電気機器に当接されて、前記ジャックの開口端を閉塞することを特徴とする未使用ジャック用防塵ダミープラグである。
【０００８】
請求項２に係る考案は、前記把持体に配置され、電気入力で発光する発光素子を備え、前記プラグ軸体は、前記ジャック内への装着によって、前記各電極端子の夫々に電気接続される複数の電極を有し、前記発光素子は、前記ジャック軸体内と通して、前記複数の電極のうち２つの電極に電気接続されることを特徴とする請求項１に記載の未使用ジャック用防塵ダミープラグである。
【０００９】
請求項３に係る考案は、前記把持体は、透光性材料で形成され、前記発光素子は、前記把持体内に配置されることを特徴とする請求項３に記載の不使用ジャック用防塵ダミープラグである。
【００１０】
請求項４に係る考案は、前記電気機器のジャックは、音声出力器に接続され、前記音声出力器は、スピーカ体と、前記ジャック内に装着され、該ジャックの各電極端子に電気接続されるフォンプラグと、前記スピーカ体及び前記フォンプラグを電気接続する配線コードを備えてなり、前記把持体は、取付部を備え、前記取付部は、前記把持体を前記音声出力器の前記配線コードに取付自在とすることを特徴とする請求項１乃至３の何れかに記載の未使用ジャック用防塵ダミープラグである。
【考案の効果】
【００１１】
請求項１に係る考案によれば、未使用ジャックに対して、プラグ軸体を装着する。プラグ軸体の未使用ジャック内への装着によって、把持体は、ジャック周りの電気機器に当接されて、ジャックの開口端を閉塞する。これにより、未使用ジャック内に塵、埃及び湿気等が侵入、蓄積することを防止でき、ジャックの電極端末の腐蝕、接続不良を回避できる。
そして、把持体は、ジャック軸体のジャックへの装着によって、電気機器に当接されるので、プラグ軸体及びジャックとの間に塵、埃が侵入するための隙間、段差を形成せず、ジャック開口端近傍に塵、埃等が蓄積しない。これにより、防塵ダミープラグを未使用ジャック内から取出す際、プラグ軸体に塵、埃等が付着することを防止でき、しかも、蓄積した塵、埃が未使用ジャック内に侵入することを回避できる。
また、把持体を掴むことで、容易に、ジャック軸体を未使用ジャック内に装着し、又は未使用ジャック内から取外すことができる。
【００１２】
請求項２に係る考案によれば、防塵ダミープラグのプラグ軸体を未使用ジャック内に装着すると、発光素子は、プラグ軸体の２つの電極からジャックの電極端子に電気接続される。これにより、電気機器からの電気入力に基づいて、発光素子を発光させることができる。特に、電気機器である携帯電話端末では、電話、電子メール着信時に連動して、電気を発光素子に出力することで、発光素子を発光でき、電話等の着信を報知できる。
【００１３】
請求項３に係る考案によれば、発光素子を把持体内に配置することで、発光素子を保護でき、把持体を発光素子で発光させることが可能となる。
【００１４】
請求項４に係る考案によれば、フォンプラグを電子機器のジャックに装着して、音声出力器を電気機器に電気接続して使用する際、防塵ダミープラグは、取付部で音声出力器の配線コードに取付けることができるので、防塵ダミープラグを未使用ジャック内から取外して保管する必要がなく、喪失を防止できる。また、フォンプラグを未使用ジャック内から取外した後は、直に、防塵ダミージャックで未使用ジャックを閉塞できる。
【図面の簡単な説明】
【００１５】
【図１】本考案に係る未使用ジャック用防塵ダミープラグを示す正面図である。
【図２】図１のＡ−Ａ断面図である。
【図３】図１のＢ−Ｂ矢視図である。
【図４】図１のＣ−Ｃ断面図である。
【図５】図１のＤ−Ｄ断面図である。
【図６】図１のＥ−Ｅ断面図である。
【図７】携帯電話端末（電気機器）を示す正面図である。
【図８】図７のＦ−Ｆ矢視図であって、携帯電話端末のフォンジャックを示す図である。
【図９】防塵ダミープラグを携帯電話端末（電気機器）に装着した図である。
【図１０】図９のＧ−Ｇ断面拡大図であって、防塵ダミープラグをジャック内に装着した状態を示す図である。
【図１１】本考案に係る未使用ジャック用防塵ダミープラグであって、把持体の取付部を示す正面図である。
【図１２】図１２のＨ−Ｈ矢視図であって、把持体の取付部を示す図である。
【図１３】防塵ダミープラグを携帯電話端末（電気機器）のフォンジャックに装着し、取付部を音声出力器であるイヤフォンの配線コードに取付けた状態を示す正面図である。
【図１４】音声出力器であるイヤフォンのフォンプラグを携帯電話端末（電気機器）のフォンジャックに装着し、取付部をイヤフォンの配線コードに取付けた状態を示す正面図である。
【考案を実施するための形態】
【００１６】
本考案に係る未使用ジャック用防塵ダミープラグについて、図１乃至図１４を参照して説明する。
【００１７】
未使用ジャック用防塵プラグは、電気機器の未使用ジャック内に装着されて、未使用ジャックの開口端を閉塞することで、未使用ジャック内への塵、埃又は湿気の侵入、蓄積を防止する。
以下、未使用ジャック用防塵ダミープラグ、電気機器及びジャックの構成について、図１乃至図１０を参照して説明する。
【００１８】
＜未使用ジャック用防塵ダミープラグ（Ｘ）の構成＞
図１乃至図１０において、未使用ジャック用防塵ダミープラグ（Ｘ：以下、「防塵ダミープラグ（Ｘ）」と称する）は、プラグ軸体（１）、把持体（２）及び発光素子（３）を備えて構成される。
【００１９】
プラグ軸体（１）は、電気機器（Ｙ）の未使用ジャック（Ｚ）内に装着され、未使用ジャック（Ｚ）の複数の電極ジャック端子（１１ａ）、（１１ｂ）、（１１ｃ）で圧接保持される（図１０参照）。
プラグ軸体（１）は、図１乃至図７に示すように、ステンレス鋼等の導電性材及び樹脂、合成ゴム等の電気絶縁材で構成され、複数のプラグ電極（１ａ）、（１ｂ）、（１ｃ）を有し、各プラグ電極（１ａ）、（１ｂ）、（１ｃ）は、図１０に示すように、未使用ジャック（Ｚ）の各電極ジャック端子（１１ａ）、（１１ｂ）、（１１ｃ）に電気接続される。
【００２０】
プラグ軸体（１）は、スリーブ体（Ｓ）、リング体（Ｒ）、チップ軸体（Ｔ）及び電気絶縁材（２ａ）、（２ｂ）で構成され、複数のプラグ電極（１ａ）、（１ｂ）、（１ｃ）を形成している。
【００２１】
スリーブ体（Ｓ）は、図１、図２及び図４に示すように、ステンレス鋼等の導電性材によって、外径（ｄ）の円筒状に形成されている。
【００２２】
リング体（Ｒ）は、図１、図２、図４及び図５に示すように、ステンレス鋼等の導電性材で円筒状に形成され、リング（Ｒ１）及び延長リング（Ｒ２）で構成されている。
リング（Ｒ１）は、スリーブ体（Ｓ）の外径（ｄ）と同一外径（ｄ）にされ、延長リング（Ｒ２）と一体形成されている。
延長リング（Ｒ２）は、リング（Ｒ１）の一軸端から縮径されて、軸方向（Ｊ）に延設されている。
リング体（Ｒ）は、図２及び図４に示すように、延長リング（Ｒ２）をスリーブ体（Ｓ）の一軸端側からスリーブ体（Ｓ）内に挿通されている。リング体（Ｒ）の延長リング（Ｒ２）は、スリーブ体（Ｓ）の両軸端間に配置されている。
【００２３】
チップ軸体（Ｔ）は、図１、図２、図５及び図６に示すように、ステンレス鋼等の導電性材で円軸状に形成され、チップ軸（Ｔ１）及び延長チップ軸（Ｔ２）で構成されている。
チップ軸（Ｔ１）は、スリーブ体（Ｓ）及びリング（Ｒ１）の外径（ｄ）より小径にされ、延長チップ軸（Ｔ２）を一体形成されている。チップ軸（Ｔ１）の一軸端側は、テーパ状に形成されている。
延長チップ軸（Ｔ２）は、チップ軸（Ｔ１）の他軸端から縮径されて、軸方向（Ｊ）に延設されている。
チップ軸体（Ｔ）は、図２及び図５に示すように、延長チップ軸（Ｔ２）をリンク（Ｒ１）の他軸端側からリンク体（Ｒ）内に挿通されている。チップ軸体（Ｔ）の延長チップ軸（Ｒ２）は、リング（Ｒ１）の他軸端及びスリーブ体（Ｓ）の他軸端間に配置されている。
【００２４】
電気絶縁材（２ａ）は、図１、図２及び図４に示すように、リング体（Ｒ）のリング（Ｒ１）の一軸端及びスリーブ体（Ｒ）の一軸端間に配置されている。
電気絶縁材（２ａ）は、軸方向（Ｊ）において、スリーブ体（Ｓ）内周及びリング体（Ｒ）の延長リンク（Ｒ２）外周の間に配置されている。
これにより、電気絶縁材（２ａ）は、スリーブ体（Ｓ）及びリング体（Ｒ）を電気絶縁し、スリーブ体（Ｓ）はプラグ電極（１ａ）を形成している。
【００２５】
電気絶縁材（２ｂ）は、図１、図２、図４及び図５に示すように、リング体（Ｒ）のリング（Ｒ１）の他軸端及びチップ軸体（Ｔ）のチップ軸（Ｔ１）の他軸端間に配置されている。
電気絶縁材（２ｂ）は、軸方向（Ｊ）において、リング体（Ｒ）の各リング（Ｒ１）、（Ｒ２）内周及びチップ軸体（Ｔ）の延長チップ軸（Ｔ２）外周の間に配置されている。
これにより、電気絶縁材（２ｂ）は、リング体（Ｒ）及びチップ軸体（Ｔ）を電気絶縁し、チップ軸体（Ｔ）のチップ軸（Ｔ１）はプラグ電極（１ｃ）を形成している。
また、各電気絶縁材（２ａ）、（２ｂ）は、リング体（Ｒ）をスリーブ体（Ｓ）及びチップ軸体（Ｔ）から電気絶縁し、リング体（Ｒ）のリング（Ｒ１）はプラグ電極（１ｂ）を形成している。
【００２６】
防塵ダミープラグ（Ｘ）の把持体（２）は、電気機器（Ｙ）のプラグ用開口（Ｙ１ｂ）外側に配置され、プラグ軸体（１）の軸端であってスリーブ体（Ｓ）側に連結される。
把持体（２）は、ジャック軸体（１）の未使用ジャック（Ｙ）内への装着によって、電気機器（Ｙ）に当接されて、未使用ジャック（Ｙ）を閉塞する（図１０参照）。
把持体（２）は、図１乃至図３に示すように、プラスチック等の非導電性材で形成され、閉塞板部（２Ａ）及び発光収納部（２Ｂ）を備えている。
【００２７】
把持体（２）の閉塞板部（２Ｂ）は、例えば、円形板状に形成され、電気機器（Ｙ）の外装（Ｙ１）に当接され、外装（Ｙ１）のジャック用開口（Ｙ１ｂ）及び未使用ジャック（Ｚ）の開口（Ｚ１）端を閉塞する（図９及び図１０参照）。
閉鎖板部（２Ｂ）は、電気機器（Ｙ）の外装（Ｙ１）に当接される平面領域（２Ａ１）を有し、平面領域（２Ａ１）は、軸方向（Ｊ）に直交する方向（Ｋ）に延設されている。
閉塞板部（２Ｂ）は、プラグ軸体（１）のスリーブ体（Ｓ）の他軸端側に連結、固定されている。プラグ軸体（１）のスリーブ体（Ｓ）、延長リング（Ｒ２）及び延長チップ軸（Ｔ２）は、図１及び図２に示すように、軸方向（Ｊ）において、閉塞板部（２Ａ）を挿通して、発光収納部（２Ｂ）内に突出されている。
【００２８】
発光収納部（２Ｂ）は、図１乃至図３に示すように、例えば、プラスチック等の透光性材料で一端閉鎖の円筒状に形成され、軸方向（Ｊ）において、プラグ軸体（１）間に閉塞板部（２Ａ）を配置して、閉塞板部（２Ａ）に取付けられている。
発光収納部（２Ｂ）の開口端は、平面領域（２Ａ１）と反対側において、閉塞板部（２Ａ）で閉鎖され、収納空間（ＳＳ）を形成している。発光収納部（２Ｂ）の収納空間（ＳＳ）には、プラグ軸体（１）のスリーブ体（Ｓ）、延長リング（Ｒ２）及び延長チップ軸（Ｔ２）が突出している。
発光収納部（２Ｂ）は、使用者の手指で十分に掴める寸法を持って、閉塞板部（２Ａ）から軸方向（Ｊ）に延設されている。
【００２９】
把持体（２）において、閉塞板部（２Ａ）及び発光収納部（２Ｂ）で形成する外装形状は、装飾処理（デザイン処理）を施した立体形状を採用できる。例えば、把持体（２）を装飾把持体として、動物、食品、又はドクロ、十字架等の立体形状にする。
【００３０】
防塵ダミープラグ（Ｘ）の発光素子（３）は、図１乃至図３に示すように、把持体（２）に配置される。
発光素子（３）は、電気入力で発光する１又は複数の発光ダイオード（ＬＥＤ）で構成され、回路基板（５）に電気接続されている。発光素子（３）及び回路基板（５）は、発光収納部（２Ｂ）の収納空間（ＳＳ）内に配置され、閉塞板部（２Ａ）側に固定されている。
発光素子（３）の電極端子（３ａ）、（３ｂ）は、回路基板（５）及び接続端子（６ａ）、（６ｂ）を通して、リング体（Ｒ）の延長リング（Ｒ２）及びチップ軸体（Ｔ）の延長チップ軸（Ｔ２）の夫々に電気接続されている。
これにより、発光素子（３）は、プラグ軸体（１）内を通して、複数のプラグ電極（１ａ）、（１ｂ）、（１ｃ）のうち、２つのプラグ電極（１ｂ）、（１ｃ）に電気接続される。
【００３１】
＜電気機器（Ｙ）、及びジャック（Ｚ）の構成＞
次に、電気機器、及びジャックの構成について、図７乃至図１０を参照して説明する。
【００３２】
図７乃至図１０において、電気機器（Ｙ）は、例えば、携帯電話端末で構成される（以下、「携帯電話端末（Ｙ）」と称する）。
携帯電話端末（Ｙ）は、制御装置、バッテリ（図示しない）、液晶ディスプレイ（１２）及びジャック（Ｚ）等を設置する端末本体（図示しない）を有し、端末本体は外装体（Ｙ１）で被覆されている。
携帯電話端末（Ｙ）の外装体（Ｙ１）は、薄厚の矩形状に形成され、液晶用窓（Ｙ１ａ）及びジャック用開口（Ｙ１ｂ）を備えている。液晶用窓（Ｙ１ａ）は、図７に示すように、外装体（Ｙ１）の表側平面（Ｙ１ｃ）に形成され、液晶ディスプレイ（１２）を配置している。ジャック用開口（Ｙ１ｂ）は、図８に示すように、外装体（Ｙ１）の上側平面（Ｙ１ｄ）に形成されている。
【００３３】
電気機器（Ｔ）としては、携帯情報端末、携帯ゲーム端末、携帯オーディオ端末、携帯映像端末、パーソナルコンピュータ端末、及び各種のオーディオ機器等を採用できる。
【００３４】
携帯電話端末（Ｙ）において、ジャック（Ｚ）は、例えば、イヤフォン又はヘッドフォンの音声出力機器を接続するフォンジャックである。
ジャック（Ｙ）は、図８及び図１０に示すように、携帯電話端末（Ｙ）のジャック用開口（Ｙ１ｂ）から携帯電話端末（Ｙ）内に設置されている。
ジャック（Ｙ）は、図１０に示すように、複数の電極ジャック端子（１１ａ）、（１１ｂ）、（１１ｃ）を有している。各電極ジャック端子（１１ａ）、（１１ｂ）、（１１ｃ）は、携帯電話端末（Ｙ）の制御装置（図示しない）に電気接続されている。
【００３５】
電極ジャック端子（１１ａ）は、図８及び図１０に示すように、ステンレス鋼等の導電性材で円筒状に形成され、携帯電話端末（Ｙ）のジャック用開口（Ｙ１ｂ）内に配置されている。電極ジャック端末（１１ａ）は、携帯電話端末（Ｙ）の外装体（Ｙ１）に固定され、プラグ軸体（１）のスリーブ体（Ｓ）に当接して保持する。
【００３６】
電極ジャック端子（１１ｂ）は、図１０に示すように、ステンレス鋼等の導電性材で板バネ状に形成され、携帯電話端末（Ｙ）のジャック用開口（Ｙ１ｂ）側で片持ち支持されている。電極ジャック端子（１１ｂ）は、軸方向（Ｊ）において、携帯電話端末（Ｙ）内に延設され、プラグ軸体（１）のリング（Ｒ１）を圧接（付勢）する。
【００３７】
電極ジャック端末（１１ｃ）は、図１０に示すように、ステンレス鋼等の導電性材で板バネ状に形成され、電極ジャック端末（１１ｂ）に対峙して配置され、更に、携帯電話端末（Ｙ）のジャック用開口（Ｙ１ｂ）側で片持ち支持されている。電極ジャック端末（１１ｃ）は、軸方向（Ｊ）において、携帯電話端末（Ｙ）内に延設され、プラグ軸体（１）のチップ軸（Ｔ１）を圧接（付勢）する。
【００３８】
ジャック（Ｙ）は、電極ジャック端子（１１ａ）内周をプラグ軸体（１）のスリーブ体（Ｓ）外周に当接して保持し、リング（Ｒ１）、チップ軸（Ｔ１）に圧接する各電極ジャック端子（１１ｂ）、（１１ｃ）でプラグ軸体（１）外周を圧接保持する。
各電極ジャック端子（１１ａ）〜（１１ｃ）は、プラグ軸体（１）の各プラグ電極（１ａ）〜（１ｃ）に電気接続される（図１０参照）。
【００３９】
＜未使用ジャック（Ｚ）の閉塞手順＞
次に、未使用ジャック（Ｚ）を閉塞する手順について、図７乃至図１０を参照して説明する。
【００４０】
携帯電話端末（Ｙ）の未使用ジャック（Ｚ）は、図９及び図１０に示すように、防塵ダミープラグ（Ｘ）を未使用ジャック（Ｚ）内に装着して、未使用ジャック（Ｚ）の開口（Ｆ１）端を閉塞する。防塵ダミープラグ（Ｘ）の装着は、図８及び図１０に示すように、プラグ軸体（１）を携帯電話端末（Ｙ）のジャック用開口（Ｙ１ｂ）及びジャック（Ｚ）の開口（Ｚ１）端に挿通させる。
【００４１】
防塵ダミープラグ（Ｘ）において、ジャック軸体（１）のスリーブ体（Ｓ）は、図１０に示すように、電極ジャック端子（１１ａ）内に挿入され、電極ジャック端子（１１ａ）に当接される。
ジャック軸体（１）のリング（Ｒ１）は、電極ジャック端子（１１ｂ）に当接され、電極ジャック端子（１１ｂ）の付勢力（バネ力）で圧接される。
ジャック軸体（１）のチップ軸（Ｔ１）は、電極ジャック端子（１１ｃ）に当接され、電極ジャック端子（１１ｃ）の付勢力（バネ力）で圧接される。
これにより、防塵ダミープラグ（Ｘ）は、図１０に示すように、ジャック（Ｚ）内に装着されると、各電極ジャック端子（１１ａ）、（１１ｂ）、（１１ｃ）で圧接保持される。
また、防塵ダミープラグ（１）の各プラグ電極（１ａ）、（１ｂ）、（１ｃ）は、ジャック（Ｚ）の各電極ジャック端子（１１ａ）、（１１ｂ）、（１１ｃ）に夫々、電気接続され、これにより、発光素子（３）は、回路基板（５）、各接続端子（６ａ）、（６ｂ）、及び延長リング（Ｒ１）、延長チップ軸（Ｔ１）を通して、電極ジャック端子（１１ｂ）、（１１ｃ）に夫々、電気接続される。
【００４２】
防塵ダミープラグ（Ｘ）において、把持体（２）の閉塞板部（２Ａ）は、図９及び図１０に示すように、携帯電話端末（Ｙ）の外装体（Ｙ１）に当接される。このとき、閉塞板部（２Ａ）の平面領域（２Ａ１）は、ジャック（Ｚ）周りの外装体（Ｙ１）の上側平面（Ｙ１ｄ）に当接して、携帯電話端末（Ｙ）のジャック用開口（Ｙ１ｂ）及びジャック（Ｚ）の開口（Ｚ１）端を閉塞する。
これにより、防塵ダミープラグ（Ｙ）は、プラグ軸体（１）及び把持体（２）で携帯電話端末（Ｙ）のジャック用開口（Ｙ１ｂ）及びジャック（Ｚ）の開口（Ｚ１）端を閉塞するので、未使用ジャック（Ｚ）内への塵、埃又は湿気の侵入、蓄積を防止できる。
また、防塵ダミープラグ（Ｙ）は、図９及び図１０に示すように、ジャック（Ｚ）周りの外装体（Ｙ１）に当接されて、携帯電話端末（Ｙ）のジャック用開口（Ｙ１ｂ）を閉塞するので、ジャック用開口（Ｙ１ｂ）内やジャック（Ｚ）の開口（Ｚ１）端近傍に塵、埃等が侵入して蓄積することを防止でき、防塵ダミープラグ（Ｘ）を未使用ジャック（Ｚ）内から取外す際、塵又は埃がプラグ軸体（１）に付着せず、未使用ジャック（Ｚ）内に侵入しない。
【００４３】
防塵ダミープラグ（Ｘ）を未使用ジャック（Ｚ）内に装着すると、発光素子（３）の両電極端子（３ａ）、（３ｂ）は、図１０に示すように、ジャック（Ｚ）の各電極ジャック端子（１１ｂ）、（１１ｃ）を通して、携帯電話端末（Ｙ）の制御装置（図示しない）に電気接続される。
携帯電話端末（Ｙ）の制御装置は、ジャック（Ｚ）の各電極ジャック端子（１１ｂ）、（１１ｃ）、プラグ軸体（１）の各プラグ電極（１ｂ）、（１ｃ）を通して、発光素子（３）に電気信号を出力する。発光素子（３）は、電気信号の入力で発光する。
携帯電話端末（Ｙ）において、制御装置は、電話又は電子メールの受信時、発光素子（３）に電気信号を出力すると、携帯電話端末（Ｙ）の使用者は、発光素子（３）の発光によって電話又は電子メール受信を感知できる。
【００４４】
本考案に係る未使用ジャック用プラグ（Ｘ）では、以下の構成態様１〜６を採用できる。
【００４５】
＜構成態様１＞
図１１乃至図１４において、防塵ダミープラグ（Ｘ）は、図１乃至図７の構成と同一構成を備え、更に防塵ダミープラグ（Ｘ）の把持体（２）は、取付部（２Ｃ）を備えている。把持体（２）の取付部（２Ｃ）は、発光収納部（２Ｂ）に固定され、音声出力器（Ｍ）に取外自在として装着される。
【００４６】
音声出力器（Ｍ）は、イヤフォンで構成され、図１３及び図１４に示すように、複数のスピーカ体（５１）、（５１）、フォンプラグ（５２）及び配線コード（５３）を備えてなる。フォンプラグ（５２）は、携帯電話端末（Ｙ）のジャック（Ｚ）内に装着され、携帯電話端末（Ｙ）のジャック（Ｚ）は、音声出力器（Ｍ：以下「イヤフォン（Ｍ）」と称する）に電気接続される。フォンプラグ（５２）は、防塵ダミープラグ（Ｘ）と同一構成のプラグ軸体（１）を備え、ジャック（Ｚ）内への装置によって、フォンプラグ（５２）の各プラグ電極は、ジャック（Ｚ）の各電極ジャック端子（１１ａ）、（１１ｂ）、（１１ｃ）に電気接続される。配線コード（５３）は、図１３及び図１４に示すように、複数のスピーカ体（５１）、（５１）及びフォンプラグ（５２）を電気接続する。
【００４７】
防塵ダミープラグ（Ｘ）において、把持体（２）の取付部（２Ｃ）は、図１１及び図１２に示すように、保持穴（６）及びスリット溝（７）を形成してなる。
保持穴（６）は、軸方向（Ｊ）において、取付部（２Ｃ）を挿通して形成され、スリット溝（７）は、保持穴（６）及び取付部（２Ｃ）外側に開口して、軸方向（Ｊ）に挿通されている。
【００４８】
防塵ダミープラグ（Ｘ）は、図１１乃至図１４に示すように、イヤフォン（Ｍ）の配線コード（５３）をスリット溝（７）から保持穴（６）内に挿入する。これにより、防塵ダミープラグ（Ｘ）は、取付部（２Ａ）によってイヤフォン（Ｍ）に取外自在として一体化にされる。
そして、音声出力器（Ｍ）を使用しない時は、図１０及び図１３に示すように、防塵ダミープラグ（Ｘ）を未使用ジャック（Ｚ）内に装着して、未使用ジャック（Ｚ）を閉塞する。このとき、イヤフォン（Ｍ）は、取付部（２Ｃ）で防塵ダミージャック（Ｘ）に一体化されている。
また、イヤフォン（Ｍ）を使用する時は、図１４に示すように、防塵ダミージャック（Ｘ）を携帯電話端末（Ｙ）の未使用ジャック（Ｚ）内から取外し、続いて、イヤフォン（Ｍ）のフォンプラグ（５２）をジャック（Ｚ）内に装着する。このとき、防塵ダミープラグ（Ｘ）は、取付部（２Ｃ）でイヤフォン（Ｍ）に一体化されているので、紛失することがない。
【００４９】
＜構成態様２＞
防塵ダミープラグ（Ｘ）では、把持体（２）に発光素子（３）を備える構成について、説明したが、必ずしも発光素子（３）を備える必要はない。防塵ダミープラグ（Ｘ）において、発光素子（３）を備えない構成では、プラグ軸体（１）に複数のプラグ電極（１ａ）〜（１ｃ）を形成する必要もないので、これにより、プラグ軸体（１）をプラスチック、合成樹脂又は合成ゴム等の非導電性材で形成できる。
【００５０】
＜構成態様３＞
防塵ダミープラグ（Ｘ）は、３極のプラグ電極（１ａ）〜（１ｃ）について説明したが、これに限定されるものでなく、２極又は４極以上のプラグ電極を形成しても良い。このとき、電気機器（Ｙ）のジャック（Ｚ）は、プラグ軸体（１）に形成される電極数と同一となるように、２極又は４極以上の電極ジャック端子とする。
【００５１】
＜構成態様４＞
防塵ダミープラグ（Ｘ）において、発光素子（３）は、把持体（２）の収納空間（ＳＳ）内に配置するものに限定されず、把持体（２）外側に配置して、把持体（２）に取付ける構成も採用できる。
【００５２】
＜構成態様５＞
電気機器（Ｙ）のジャック（Ｚ）に接続される音声出力器（Ｍ）として、イヤフォンに限定されず、例えば、ヘッドフォンであっても良い。ヘッドフォンの配線コードを把持体（２）の取付部（２Ｃ）に装着することで、ヘッドフォン及び防塵ダミープラグ（Ｘ）を一体化する。
【００５３】
＜構成対象６＞
電気機器（Ｙ）のジャック（Ｚ）は、音声出力器（Ｍ）を接続するフォンジャックに限定されず、例えば、マイクロフォンを電気機器（Ｙ）に接続するフォンジャックであっても良い。このとき、マイクロフォンの未使用ジャックを防塵ダミージャックで閉塞する。
【産業上の利用可能性】
【００５４】
本考案は、電気機器の未使用ジャックを閉塞して、未使用ジャック内への塵、埃又は湿気の侵入、蓄積を防止するのに好適である。
【符号の説明】
【００５５】
Ｘ  防塵ダミープラグ
Ｙ  電気機器（携帯電話端末）
Ｚ  ジャック（未使用ジャック）
１  ジャック軸体
２  把持体
３  発光素子（発光ダイオード）
【図１】
0003170097.tif 000003
【図２】
0003170097.tif 000004
【図３】
0003170097.tif 000005
【図４】
0003170097.tif 000006
【図５】
0003170097.tif 000007
【図６】
0003170097.tif 000008
【図７】
0003170097.tif 000009
【図８】
0003170097.tif 000010
【図９】
0003170097.tif 000011
【図１０】
0003170097.tif 000012
【図１１】
0003170097.tif 000013
【図１２】
0003170097.tif 000014
【図１３】
0003170097.tif 000015
【図１４】
0003170097.tif 000016